(57)【要約】違法コピー及びディジタル記録の処理を防ぐシステム及び方法。特に、本システムは、保護スキームを打破するために、ディジタル記録の断片を一体にマージする又は縫い合わせることを妨げる。これを実現するために、本発明は、ディジタル記録をマージするシステムを有する準拠装置であって、第一のディジタル記録と第二のディジタル記録とを受信するシステムと、上記第一のディジタル記録と上記第二のディジタル記録とをマージして、上記第一のディジタル記録と上記第二のディジタル記録との間に区切りを含む出力とするシステムと、を有する準拠装置を提供する。したがって、一体に縫われた断片を記録する試みは、区切りを有する記録の出力をもたらし、これにより再生中に頻繁な中断又は音量の変動が生じる。
2004516601.tif 000002
【特許請求の範囲】
【請求項１】
透かし入りディジタル記録を処理する装置であって、
前記透かし入りディジタル記録を確認する確認システムと、
前記透かし入りディジタル記録に区切りを挿入する挿入システムと、を有することを特徴とする装置。
【請求項２】
請求項１記載の装置であって、
前記確認システムは、前記透かし入りディジタル記録を複数のセクションに区切ることを特徴とする装置。
【請求項３】
請求項２記載の装置であって、
前記確認システムは、少なくとも１つのセクションに記録された透かし値を前記透かし入りディジタル記録全体から求められた無音値とを比較することを特徴とする装置。
【請求項４】
請求項３記載の装置であって、
前記無音値は、前記複数のセクションのそれぞれに含まれるハッシュ・データであることを特徴とする装置。
【請求項５】
請求項１記載の装置であって、
前記区切りは、フィルタを有することを特徴とする装置。
【請求項６】
請求項５記載の装置であって、
前記フィルタは、無音を有することを特徴とする装置。
【請求項７】
請求項６記載の装置であって、
前記フィルタは、前記透かし入りディジタル記録の前又は後に連続して挿入されることを特徴とする装置。
【請求項８】
請求項１記載の装置であって、
前記区切りは、振幅変調を有することを特徴とする装置。
【請求項９】
ディジタル記録をマージするシステムであって、
第一のディジタル記録と第二のディジタル記録とを受信するシステムと、
前記第一のディジタル記録と前記第二のディジタル記録とをマージして、前記第一のディジタル記録と前記第二のディジタル記録との間に区切りを含む出力とするシステムと、を有することを特徴とするシステム。
【請求項１０】
第一のディジタル記録と第二のディジタル記録とをマージする方法であって、
前記第一及び第二のディジタル記録を確認する工程と、
前記第一及び第二のディジタル記録をマージする工程と、
前記第一及び第二のディジタル記録の間に区切りを含む出力を生成する工程と、を有することを特徴とする方法。
【請求項１１】
請求項１０記載の方法であって、
前記確認工程は、前記ディジタル記録の少なくとも１つのセクションに挿入された透かし値を前記ディジタル記録の無音値とを比較することを含むことを特徴とする方法。
【請求項１２】
請求項１０記載の方法であって、
前記区切りは、連続的に挿入されたフィルタを含むことを特徴とする方法。
【請求項１３】
請求項１０記載の方法であって、
前記区切りは、前記第一及び第二のディジタル記録の少なくとも１つの振幅変調を含むことを特徴とする方法。
【請求項１４】
請求項１０記載の方法であって、
前記第一及び第二のディジタル記録は暗号化され、
前記マージ工程は、
前記第一及び第二のディジタル記録を解読する工程と、
前記第一及び第二のディジタル記録を前記区切りと連結させる工程と、
前記出力を暗号化する工程と、を有することを特徴とする方法。
【発明の詳細な説明】
【０００１】
（発明の背景）
（発明の属する技術分野）
本発明は、概して、ディジタル記録用セキュリティ・システムに係り、特に、ディジタル音楽の複製、再生、及び頒布を制御する著作権侵害防止スキームに関する。
【０００２】
（関連技術）
インターネット及びディジタル媒体技術（例えば、コンパクト・ディスク「ＣＤ」、ディジタル多目的ディスク「ＤＶＤ」など）のいずれもが普及したことにより、ディジタル媒体コンテンツの著作権所有者にとってものすごい問題が作り出された。ディジタル・コンテンツを複製、再生、及び送信する能力は、パーソナル・コンピュータ及びインターネットへのアクセスを有するあらゆる人にとって容易に使用可能となっている。この能力は、著作権所有者の作品の違法複製を停止することができない彼らの権利に対して広範囲にわたる悪用を導いている。著作権所有権が特に乱用されている１つの特定のエリアは、音楽産業である。インターネットを通じたディジタル音楽の違法コピーは、音楽産業に計り知れないほどの損害を与えている。以前は、ほとんどの音楽コンテンツは、あらゆるディジタル媒体プレイヤ又はレコーダによって読み取り及び処理が容易にできるオープンで安全対策のされていない形式でパッケージされ、記録されていた。すなわち、コンテンツは、容易に複製され、記録され、送信された。これを解決するために、音楽産業は、大流行の音楽の著作権侵害を制御するために、保護領域を作成しようと努めている。
【０００３】
音楽産業が模索している１つの解決策は、特殊エンコードされたコンテンツを処理する再生・記録保護装置について規格を制定することである。多くの保護装置及びシステムが提案されている。例えば、１９９６年４月３０日に発行された米国特許第５，５１３，２６０号：「Ｍｅｔｈｏｄ  ａｎｄ  Ａｐｐａｒａｔｕｓ  Ｆｏｒ  Ｃｏｐｙ  Ｐｒｏｔｅｃｔｉｏｎ  Ｆｏｒ  Ｖａｒｉｏｕｓ  Ｒｅｃｏｒｄｉｎｇ  Ｍｅｄｉａ」は、プロテクトされたＣＤを再生できるようにするには許可署名が要求されるシステムについて開示している。１９９９年１１月２５日に公開されたＰＣＴ出願ＷＯ９９／６０５６８号：「Ｃｏｐｙ  Ｐｒｏｔｅｃｔｉｏｎ  Ｕｓｉｎｇ  Ｂｒｏｋｅｎ  Ｍｏｄｕｌａｔｉｏｎ  Ｒｕｌｅｓ」も著作権侵害防止システムについて開示している。これら各参考文献はここに参考文献として組み込まれる。
【０００４】
加えて、情報技術、家電製品、電気通信、保護技術、世界的規模のレコード産業、及びインターネット・サービス・プロバイダを代表する１８０を超える企業及び団体が集まって作られたＳＤＭＩ（Ｓｅｃｕｒｅ  Ｄｉｇｉｔａｌ  Ｍｕｓｉｃ  Ｉｎｉｔｉａｔｉｖｅ）と呼ばれるグループが、あらゆる形式のディジタル音楽の安全な引き渡しのための規格及びアーキテクチャを開発し様と試みている。ＳＤＭＩに関する情報は、そのウェブ・サイト＜ｗｗｗ．ｓｄｍｉ．ｏｒｇ＞で見ることができる。
【０００５】
ＳＤＭＩの元で探求されているもののような準拠システムを導入する際に問題となることの１つは、様々な競合する要求が満たされなければならないことである。例えば、ＳＤＭＩの元では、（１）オリジナルＣＤを所有している場合、そのＣＤの個人的複製は限度なく許されなければならず；（２）ＳＤＭＩに準拠したプレイヤは既に存在する音楽を再生できなければならず；（３）ＳＤＭＩは音楽の完全なディジタル・コピーの大量複製を防ぐ能力がなければならず；更に、（４）ＳＤＭＩは、クリエータ又は著作権保持者に対していかなる賠償もすることなく、インターネット上での頒布を防がなければならない。したがって、ＳＤＭＩは、限定された形式については複製が許されなければならず、同時に、広範囲にわたる複製は禁止されなければならない。
【０００６】
残念ながら、このような競合する要件は、ハッカーや海賊版作成者にシステムの保護スキームを打ち破るスキを与えてしまう。そこで、打ち破ることが難しく、且つＳＤＭＩなどのようなイニシアティブに対するオープンな要求を満たす保護スキームが開発されなければならない。
【０００７】
（発明の開示）
本発明は、違法コピー及びディジタル記録の処理を防ぐシステム及び方法を提供することによって、他の問題と同様に上記問題を解決する。特に、本システムは、保護スキームを打破するために、ディジタル記録の断片を一体にマージする又は縫い合わせることを妨げる。
【０００８】
第一の態様において、本発明は、透かし入りディジタル記録を処理する装置であって、上記透かし入りディジタル記録を確認する確認システムと、上記透かし入りディジタル記録に区切りを挿入する挿入システムと、を有することを特徴とする装置を提供する。
【０００９】
第二の態様において、本発明は、ディジタル記録を編集するシステムであって、第一のディジタル記録と第二のディジタル記録とを受信するシステムと、上記第一のディジタル記録と前記第二のディジタル記録とをマージして、上記第一のディジタル記録と上記第二のディジタル記録との間に区切りを含む出力とするシステムと、を有することを特徴とするシステムを提供する。
【００１０】
第三の態様において、本発明は、第一及び第二のディジタル記録を編集する方法であって、上記第一及び第二のディジタル記録をマージする工程と、上記第一及び第二のディジタル記録の間に区切りを含む出力を生成する工程と、を有することを特徴とする方法を提供する。
【００１１】
よって、ディジタル記録のセグメント又は断片を一体に縫い合わせることを許さないことによって、ディジタル記録の違法コピーを防ぐシステムを提供することは、本発明の利点である。
【００１２】
違法に処理された記録の利用性を制限するために、記録されたセグメント間にフィルタが挿入されたシステムを提供することは、本発明の別の利点である。
【００１３】
（発明の詳細な説明）
以下、本発明の好ましい模範的実施形態について、添付図面を参照して説明する。同じ符号は同じ要素を示す。
【００１４】
図面は説明のためだけに提示されるものであり、必ずしもスケールは合っていないことは明らかである。したがって、図面は本発明の範囲を限定するものと解釈されるべきではない。
【００１５】
（１．概要）
本発明は、違法処理からディジタル記録を保護するシステム及び方法を提供する。ここで用いられる「処理」という語は、ディジタル記録のあらゆる種類の複製、送信、再生、変造などを含むものとする。「ディジタル記録」という語は、ディジタル形式で記録され得るあらゆる種類の情報、データ、音楽、ビデオ、マルチメディアなどを含むものとする。保護を可能にする１つの方法は、処理を可能とする前に、最初にそのディジタル記録の完全なデータ・セットが存在することを確認することである。例えば、音楽産業において、音楽は、通常、トラック又は曲の集まりを有するオーディオＣＤを通じて引き渡される。本発明は、処理の前に完全なトラックの集合体が存在することを要求するシステム及び方法を利用してもよい。違法音楽複製は、ＣＤ内のわずか一部の曲に限定される場合が多いため、個々の曲をインターネットに違法に掲示したり、インターネットから違法にダウンロードしたりする能力は実質的に制限される。
【００１６】
したがって、ここに記載する模範的実施形態の一部は、違法な所有権の証明として、処理の際に媒体全体（又は、本来頒布されたデータ集合体の全部）の存在を確認する。その媒体の一部が存在しなかった場合、そのディジタル記録の処理を中止させることができる。本発明の１つの重要な用途は音楽コンテンツの引き渡しに関するが、本発明は複数のトラックを有するあらゆる種類のディジタル記録に適用できることは明らかである。この開示のために、「複数のトラック」を、個々に利用可能な又は所望のセグメントを複数個有するあらゆるディジタル記録を含むように定義する。
【００１７】
（２．確認）
図１を参照する。図１は、ディジタル・データを処理する（例えば、記録する、送信する、再生する、など）ことを可能にする前に該データを確認することによって、該ディジタル・データの違法処理を防ぐ模範的著作権侵害防止システム１０を示す。確認は、最初に、透かしエンコーダ１４を用いて、ディジタル記録１２を透かし入りディジタル記録２４へ変換することによって達成される。すると、透かしエンコーダ１４に準拠したシステムを有する準拠装置２６を、透かし入りディジタル記録２４を確認するのに用いることができる。一端確認されると、準拠装置２６は、透かし入りディジタル記録２４の処理（例えば、複製、記録など）を進め、出力５４を生成することができる。
【００１８】
ディジタル記録１２をエンコードする好ましいシステム及び方法は、例えば、セグメント化メカニズム１６を用いて、該ディジタル記録を複数の小さいセクション（例えば、長さ１５秒のセクション）に細分化し、次いで、透かし入れシステム１８を用いて、透かし入りディジタル記録１２を細分化することである。透かし入れは、例えば、ディジタル記録全体の目立った特徴を取り込む計算された識別子又は透かしでセクションの一部又は全部をマークすることである。例えば、識別子Ｗは、各セクションＳ１、Ｓ２、・・・ＳｎにおけるデータのハッシュＨとして、すなわちＷ＝Ｈ（Ｓ１、Ｓ２、・・・Ｓｎ）計算されてもよい。
【００１９】
図２及び図３は、ディジタル記録１２及び透かし入りディジタル記録２４のグラフィック表現を示す。ディジタル記録１２は、終点４２によって区切られた複数のトラックＴ１、Ｔ２、・・・ＴＮを有する。透かし入りディジタル記録２４は、ディジタル記録１２の複数のトラックＴ１、Ｔ２、・・・ＴＮを有すると共に、更に、複数のセクションＳ１、Ｓ２、・・・Ｓｎに細分化される。加えて、各セクションは、透かしＷ４６を含む。図３の透かし入りディジタル記録２４は、１つの模範的透かしエンコーディング・ストラテジィのみを表していることは明らかである。数個のセクションに透かしを入れることや、透かしを複数のセクション内へ細分化することなどの他の実施例も同様に用いることができ、これらも本発明の範囲内に収まるものである。
【００２０】
ここで用いられる「透かし」という語は、複数のシンプルな透かしや粗い透かしなどのあらゆる種類の透かしを指す。複数のシンプルな透かしは壊れやすくなり得る。すなわち、コンテンツが明白に許可されていない方法（例えば、圧縮）で操作されると、透かしが消えてしまう。別の方法として、粗い透かしはコンテンツの品質を劣化させないすべてのコンテンツについての操作について生き残る。これら透かしは、著作権情報と、該コンテンツに関するポリシィ（例えば、コンテンツを複製することが可能か否か）とを搭載することができる。したがって、このポリシィを、「オリジナル媒体の完全なデータ・セットが存在する場合のみ、コンテンツの複製可」とすることも可能である。
【００２１】
処理の前に、準拠装置２６は、透かし入りディジタル記録２４を確認する確認システム２８を利用する。例えば、上述の場合、確認システム２８は、最初に記録２４をセクションＳ１’、Ｓ２’、・・・Ｓｎ’に分割し、識別子Ｗ’＝Ｈ（Ｓ１’、Ｓ２’、・・・Ｓｎ’）を再計算し、識別子Ｗ’をセクションＳ１’、Ｓ２’、・・・Ｓｎ’のいずれか一から抽出した透かしＷ’’と比較することによって、透かし入りディジタル記録２４を確認することができる。Ｗ’＝Ｗ’’であれば、特定のセクションが確認される。次いで、この処理を各セクションについて繰り返すことができる。透かし入りディジタル記録２４全体のすべてのセクションが確認されると、処理システム３４は記録２４を処理する。セクションの１又は複数が確認されなかった場合、処理は中止メカニズム３０によって中止される。
【００２２】
したがって、システム１０は、処理が許可される前に、記録２４全体の存在が要求される模範的スキームを提供する。しかし、ディジタル記録を確認するための試みが為される確認システムのあらゆる変形例が本発明の範囲内に収まることは明らかである。
【００２３】
（３．区切り挿入）
確認システム２８は透かしを検知することに依存するため、透かし入りディジタル記録２４の小さい断片を個別に処理しようと試みることによって、確認システム２８の効果を小さくすることが可能である。このような小さい断片は、透かしにとって小さすぎて認識できないものであってもよく、その場合、例えば、そのコンテンツには版権がなく（すなわち、適法なコンテンツを含む）、処理されるべきであるという外観を与え得る。例えば、準拠装置２６が記録メカニズムであり、透かし入りディジタル記録１２が単一曲の違法コピーであるものと仮定する。ＣＤ全体が存在しないので、曲全体の記録は中止される。なぜなら、その曲の１以上のセクションが正しく確認されないからである。これを回避するために、保護領域で活動する海賊版作成者は、記録された曲の断片を個々に縫い合わせよう又はマージしようとするであろう。具体的に言えば、（１）その曲を複数の断片（一セクション、複数のセクション、又は、セクションの一部）に分割し、（２）個々の断片を別々に準拠装置２６へ入力し、（３）各断片を個別に記録しようと試み、そして（４）それぞれが成功裏に記録された後で記録機器をリセットし、完全な一曲が記録されるまでこれを繰り返す、ことをしようとする者がいるであろう。
【００２４】
このような縫い合わせ処理は困難無しにはできないが、単に曲全体を記録しようと試みるよりは成功裏に記録できる確率がずっと高い。例えば、違法な曲はｋ個のセクションを含み、あるセクションがランダムに確認される確率がＰであるものと仮定する。すると、その曲の全セクションがランダムに確認される確率はＰｋとなる。したがって、一曲が２０セクションを含み、ランダムに確認される確率が１０％だとすると、成功裏に記録される確率は０．１０２０＝１０−２０となる。別の方法として、「縫い合わせ」アプローチの下では、ある単一のセグメントがランダムに確認される確率が依然としてＰ＝１０％である場合、海賊版作成者は、ある一断片を１０回の試行で記録できる潜在性を有する。したがって、その曲が２０断片に分割されている場合、海賊版作成者は、保護領域に記録された断片を一体にマージすることができるのであれば、１０×２０＝２００回の試行で本システムを打ち破ることができる潜在性を有する。これは、特にその処理がコンピュータ化されている場合、確認システム２８を打ち破る手間としては安いものである。
【００２５】
上記回避スキームを克服するために、本実施形態は、準拠装置２６に区切り挿入システム３２を有する。区切り挿入システム３２は、処理システム３４とインターフェースを取り、いくつかの種類の区切りをあらゆる処理された記録の先頭及び／又は終わりに挿入する。区切り挿入システム３２は、マージ・システム３１によって断片が一体にマージされる度に、その２つの記録された断片の間に区切りを挿入することが好ましい。
【００２６】
２つの模範的な種類の区切りは、（１）フィルタの挿入、及び（２）振幅変調を含む。フィルタ挿入の場合、いくつかの種類の「フィルタ」が任意の記録又は処理の直前及び／又は直後に連続して挿入される。フィルタは、例えば、記録されたセグメント又はセクションの間に挿入される無音を有し得る。他の種類のフィルタは、ハム、広告、ベル、ビープなどを含んでもよい。加えて、フィルタは、無音及びビープなどの挿入の組み合わせを含んでも良い。
【００２７】
振幅変調の場合、上記区切りは、記録開始時にはパワ（すなわち、サウンド・レベル）をゆっくりと上昇させ、及び／又は、記録終了時にはゆっくりと減少させる（すなわち、フェード・イン、フェード・アウト）システムを有する。この区切りは、あらゆる合法的な記録のほんの一瞬のみを修正し、ユーザに対して可聴効果の存在しない無音においてのみ記録を開始又は停止することを推奨することが好ましい。
【００２８】
したがって、上記開示された実施形態は、記録を一体に縫い合わせる試みが頻繁な中断又は音量の変動をもたらし、違法コピーに対するポテンシャルを打破するシステムを提供する。曲の集合体の合法的な編集に干渉しない限り、ここに開示されているものに加えて、他のあらゆる種類の区切りが用いられ得ることは明らかである。「マージ（する）」という語は、切断すること、イコライズすること、一断片を別の断片へ挿入すること、連結させること、などをあらゆる編集の様相を含み得る。
【００２９】
上記フィルタ挿入及び／又は振幅変調は、２つの記録された断片が一体にマージされるときに、マージ・システム３１によって実現されることが最も良く好ましい。さらに、保護領域において、上記記録された断片は、断片を連続的にくっつけるあらゆる努力が妥当でない暗号化をもたらすように暗号化されることが好ましい。このように暗号化された断片が連結されると無効な暗号文をもたらす暗号化技術は、本分野では良く知られている。したがって、マージ・システム３１の方法論は、断片を解読し、断片を組み合わせ、その結果得られたより長い組み合わせを再暗号化することを含んでもよい。この暗号化工程が保護されている限り、あらゆる編集オペレーションにわたる制御（例えば、マージ・システム３１）は準拠装置２６によって維持され、ユーザは単に区切りをストリップアウトすることができない。
【００３０】
図４を参照する。図４は、無音を挿入するための区切り挿入システム３２を用いる模範的実施形態について、複数の記録されたセクション５２を一体に縫い合わせる試みが為されている場合を示す。図示するように、各断片Ｆ１、Ｆ２、及びＦ３は、処理のために（この場合は、別々に記録され、出力５４を形成するためにマージされるために）準拠装置２６へ個別に入力される。しかし、各セクションは別々に処理されるため、区切り挿入システム３２は、各セクションの後に小量の連続的なデッド・スペース又は無音５６を挿入している。したがって、結果として得られた出力５４は、無音５６によって区切られた記録されたセクションＦ１、Ｆ２、及びＦ３を有する。よって、この結果として得られた出力５４は、数多くの中断を含むため、聞く又は用いるのに適さない。
【００３１】
図５は、区切り挿入システム３２が振幅変調６０に各処理済断片の先頭及び終わりにおいてそれぞれフェード・イン／フェード・アウトを挿入させる模範的実施形態を示す。見ればわかるように、断片Ｆ１、Ｆ２、及びＦ３は、準拠装置２６へ入力され、結果として出力６４が生成される。出力６４は、それぞれがわずかに修正された３つの断片Ｆ１、Ｆ２、及びＦ３から成る。特に、各断片の先頭部分６６は、そのパワ・レベルがゆっくりと増えるように修正され、各断片の終わり部分６８はそのパワ・レベルがゆっくりと下降するように修正される。
【００３２】
ここに開示したシステム、機能、メカニズム、及びモジュールは、ハードウェア、ソフトウェア、又はハードウェアとソフトウェアの組み合わせによって実現可能であることは明らかである。これらは、ここに開示された方法を実行するのに適したあらゆる種類のコンピュータ・システム又は他の装置によって実現されてもよい。典型的なハードウェアとソフトウェアの組み合わせは、ロードされ、実行されると、コンピュータ・システムがここに開示された方法を実行するように制御するコンピュータ・プログラムを有する汎用コンピュータ・システムである。別の方法として、本発明の１以上の機能的タスクを実行するのに特化したハードウェアを含む特殊用途コンピュータが用いられてもよい。本発明は、更に、ここに開示された方法及び機能の実施を可能にするすべての特徴を有し、コンピュータ・システムにロードされたときにこれら方法及び機能を実行することが可能なコンピュータ・プログラム製品として実現することも可能である。本文脈におけるコンピュータ・プログラム、ソフトウェア・プログラム、プログラム、プログラム製品、又はソフトウェアは、情報処理能力を有するシステムに、（ａ）別の言語、コード、又は表記法への変換、及び／又は（ｂ）異なるマテリアル形式での複製、の少なくとも一方の後で、或いは直接的に、特定の機能を実行させることが意図された命令群のあらゆる言語、コード、又は表記法でのあらゆる表現を意味する。
【００３３】
本発明の好ましい実施形態の以上の説明は、例示及び説明のために提示されたものである。それらは、本発明を開示された正確な形式に限定する、又は排他的であることが意図されたものではなく、上記教えに照らして多くの修正及び変形例が可能であることは明らかである。当業者には明らかなこのような修正及び変形例は、添付の請求項によって定義された本発明の範囲内に含まれることが意図されている。
【図面の簡単な説明】
【図１】
本発明の好ましい実施形態に係る複製防止システムのブロック図である。
【図２】
ディジタル記録のグラフィック表示を示す図である。
【図３】
透かしディジタル記録のグラフィック表示を示す図である。
【図４】
マージされたセクションの間に無音を挿入する図１の準拠装置のブロック図である。
【図５】
マージされたセクションの振幅変調を有する図１の準拠装置のブロック図である。
【国際公開パンフレット】
2004516601.tif 000003
2004516601.tif 000004
2004516601.tif 000005
2004516601.tif 000006
2004516601.tif 000007
2004516601.tif 000008
2004516601.tif 000009
2004516601.tif 000010
2004516601.tif 000011
2004516601.tif 000012
2004516601.tif 000013
2004516601.tif 000014
2004516601.tif 000015
2004516601.tif 000016
2004516601.tif 000017
2004516601.tif 000018
【国際調査報告】
2004516601.tif 000019
2004516601.tif 000020
2004516601.tif 000021